(57)【特許請求の範囲】
【請求項１】
増粘剤が配合された液剤を収容した貯蔵容器と、該貯蔵容器の開口を塞ぐ中栓と、前記貯蔵容器から流出した液剤を保持する液溜部と、前記中栓を貫通するとともに前記液剤を前記液溜部に流下させる中空柱状の液体伝達部材とを備えたオンタンク式トイレ芳香洗浄器具であって、
前記液体伝達部材は、当該液体伝達部材の前記中栓を貫通する部分の外周面に、前記液剤を前記液溜部に流下させるための軸方向に沿った溝を周方向に複数備え、
前記液体伝達部材が前記中栓を貫通している状態で、前記中栓と前記液体伝達部材の前記溝との間に開口が形成され、当該開口を通じて前記貯蔵容器から前記液剤が流下する
ことを特徴とするオンタンク式トイレ芳香洗浄器具。
【請求項２】
前記貯蔵容器および前記液溜部を収納する収納部をさらに備え、前記液溜部は前記収納部の底壁上に載置され、該収納部は、その周壁の下部に、周方向に間隔をあけて複数の通水口が設けられていることを特徴とする請求項１に記載のオンタンク式トイレ芳香洗浄器具。
【請求項３】
前記貯蔵容器の端部と前記液溜部との間に隙間が形成されていることにより水の逆流を防止したことを特徴とする請求項１または請求項２に記載のオンタンク式トイレ芳香洗浄器具。
【請求項４】
前記液剤の粘度が５００〜３０００ｍＰａ・ｓ（２０℃）であり、前記溝の開口面積が０．１〜１．０ｍｍ２であることを特徴とする請求項１〜請求項３のいずれか１項に記載のオンタンク式トイレ芳香洗浄器具。
【発明の詳細な説明】
【０００１】
【発明の属する技術分野】
本発明は、貯蔵容器中の液剤を液溜部に導き、フラッシング用の水を液溜部に供給して液剤を含有する液を貯水タンクに流出させるオンタンク式トイレ芳香洗浄器具に関する。
【０００２】
【従来の技術】
従来、水洗トイレの貯水タンクの蓋上に載せて使用されるオンタンク式のトイレ芳香洗浄器具は、芳香成分や洗浄成分を含む固形物にフラッシング用の水をかけ、芳香成分や洗浄成分を溶出させた液を貯水タンクに供給する形式が主であった。
【０００３】
このような固形物に代わり、芳香成分や洗浄成分を高濃度で含む液剤を貯蔵した貯蔵容器を具備したオンタンク式トイレ芳香洗浄器具が提案されている。
【０００４】
【発明が解決しようとする課題】
オンタンク式トイレ芳香洗浄器具には、フラッシングが繰り返されても、長期間にわたって安定した効果が得られるようにすることが求められている。そのためには、液剤を必要量だけ定常的に供給する必要がある。必要以上に多量に液剤を供給すると、早期に液剤の補給が必要になり、貯蔵容器の交換頻度が高まるため、使用者側のランニングコストが増加する。
【０００５】
本発明は、このような状況に鑑みてなされたもので、長期間にわたって芳香効果や洗浄効果を安定に発揮し得るオンタンク式トイレ芳香洗浄器具を提供することを目的とする。
【０００６】
本発明者らは前記課題を解決すべく鋭意検討した結果、貯蔵容器から液溜部に供給される液量が常に所定量となるように液剤の粘度を調整することが有効であることを見出し、本発明を完成した。
【０００７】
即ち、上記目的を達成するために、本発明は、下記（１）〜（４）を特徴とする。
（１）増粘剤が配合された液剤を収容した貯蔵容器と、該貯蔵容器の開口を塞ぐ中栓と、前記貯蔵容器から流出した液剤を保持する液溜部と、前記中栓を貫通するとともに前記液剤を前記液溜部に流下させる中空柱状の液体伝達部材とを備えたオンタンク式トイレ芳香洗浄器具であって、前記液体伝達部材は、当該液体伝達部材の前記中栓を貫通する部分の外周面に、前記液剤を前記液溜部に流下させるための軸方向に沿った溝を周方向に複数備え、前記液体伝達部材が前記中栓を貫通している状態で、前記中栓と前記液体伝達部材の前記溝との間に開口が形成され、当該開口を通じて前記貯蔵容器から前記液剤が流下することを特徴とするオンタンク式トイレ芳香洗浄器具。
（２）前記貯蔵容器および前記液溜部を収納する収納部をさらに備え、前記液溜部は前記収納部の底壁上に載置され、該収納部は、その周壁の下部に、周方向に間隔をあけて複数の通水口が設けられていることを特徴とする上記（１）に記載のオンタンク式トイレ芳香洗浄器具。
（３）前記貯蔵容器の端部と前記液溜部との間に隙間が形成されていることにより水の逆流を防止したことを特徴とする上記（１）または（２）に記載のオンタンク式トイレ芳香洗浄器具。
（４）前記液剤の粘度が５００〜３０００ｍＰａ・ｓ（２０℃）であり、前記溝の開口面積が０．１〜１．０ｍｍ２であることを特徴とする上記（１）〜（３）のいずれか１項に記載のオンタンク式トイレ芳香洗浄器具。
【０００８】
【発明の実施の形態】
以下、本発明のオンタンク式トイレ芳香洗浄器具用液剤（以下、単に「液剤」ともいう。）に関して詳細に説明する。
【０００９】
本発明の液剤において、有効成分として芳香剤、洗浄剤等を用いることができる。これらは、例えば下記に例示する各種物質を使用することができる。
【００１０】
洗浄剤としては各種の界面活性剤が挙げられ、例えば、フッ素化アルキルＰＯＥ（ポリオキシエチレン）エステル、フッ素化アルキル親水性基含有オリゴマー、フッ素化アルキルエステル付加重合物等のフッ素系両親媒性物質；ミリスチン酸、ステアリン酸、パルミチン酸、ベヘニン酸、オレイン酸等の高級脂肪酸；カリウム、ナトリウム、モノエタノールアミン、ジエタノールアミン、トリエタノールアミン、アミノメチルプロパノールアミン酸等の塩；エーテルカルボン酸の上記アルカリ塩；高級アルキルスルホン酸塩、ＰＯＥアルキルエーテル硫酸塩等のアニオン系界面活性剤；ＰＯＥオクチルドデシルアルコール、ＰＯＥ−２−デシルテトラデシルアルコール等のＰＯＥ分岐アルキルエーテル；ＰＯＥオレイルアルコールエーテル、ＰＯＥベヘニルアルコールエーテル、ＰＯＥステアリルアルコールエーテル、ＰＯＥセチルアルコールエーテル等のＰＯＥアルキルエーテル；ポリオキシプロピレン（ＰＯＰ）−ＰＯＥブロックコポリマー；ソルビタンモノオレート、ソルビタンモノイソステアレート、ソルビタンモノラウレート等のソルビタンエステル；ＰＯＥソルビタンモノオレート、ＰＯＥソルビタンモノイソステアレート、ＰＯＥソルビタンモノラウレート等のＰＯＥソルビタンエステル；グリセリルモノオレート、グリセリルモノステアレート、グリセリルモノミリステート等のグリセリン脂肪酸エステル；ＰＯＥグリセリルモノオレート、ＰＯＥグリセリルモノステアレート、ＰＯＥグリセリルモノミリステート等のＰＯＥグリセリン脂肪酸エステル；ＰＯＥジヒドロコレステロールエステル、ＰＯＥ硬化ヒマシ油、ＰＯＥ硬化ヒマシ油イソステアレート等のＰＯＥ硬化ヒマシ油脂肪酸エステル；ＰＯＥノニルフェニルエーテル、ＰＯＥオクチルフェニルエーテル等のＰＯＥアルキルフェニルエーテル；エチレングリコール・プロピレングリコールブロックポリマー、グリセリルイソステアリルエーテル、グリセリルミリスチルエーテル等のグリセリルエーテル；ＰＯＥグリセリルイソステアリルエーテル、ＰＯＥグリセリルミリスチルエーテル等のＰＯＥグリセリルエーテル；ジグリセリルモノステアレート、デカグリセリルデカステアレート、デカグリセリルペンタンイソステアレート、デカグリセリルデカイソステアレート、ジグリセリンジイソステアレート等のポリグリセリン脂肪酸エステル等のノニオン系界面活性剤；ステアリルトリメチルアンモニウムクロライド、ジステアリルジメチルアンモニウムクロライド、ジミリスチルジメチルアンモニウムクロライド、ステアリルベンジルジメチルアンモニウムクロライド、ジミリスチルジメチルアンモニウムメチルサルフェート等のカチオン系界面活性剤；ラウリルジメチルアミノ酢酸ベタイン、ステアリルジメチルアミノ酢酸ベタイン、２−アルキル−Ｎ−カルボキシメチル−Ｎ−ヒロドキシエチルイミダゾリニウムベタイン等の両性界面活性剤；ラウリルアミノプロピオン酸ナトリウム等のアミノ酸系界面活性剤、等が挙げられる。これらの中でも、液剤を透明にできることから、ノニオン系界面活性剤、とりわけＰＯＥアルキルエーテルとアニオン系界面活性剤、特にＰＯＥアルキルエーテル硫酸塩を組み合わせて使用することが好ましい。また、配合量は、界面活性剤総量として０．５〜６０重量％、好ましくは１〜４０重量％とすればよい。
【００１１】
芳香剤の成分としては、レモン、オレンジ、ベルガモット、グレープフルーツ、ラベンダー、ローズマリー、ジャスミン、ローズ、ペパーミント、ユーカリ、樟脳等から抽出した精油；リモネン、リナロール、リナロールアセテート、ボルネオール、シトラール、シトロネラール、メントール、シネオール等の香料が挙げられる。配合割合は０．５〜２５重量％、好ましくは１〜２０重量％とすればよい。
【００１２】
その他に、色素や防汚剤（撥水コート剤等）を好ましい任意成分として配合することができる。
【００１３】
色素としては、水溶性の法定色素が好ましく、赤色２号、赤色３号、赤色１０２号、赤色１０４号の（１）、赤色１０５号の（１）、赤色１０６号、黄色４号、黄色５号、青色１号、青色２号、緑色３号、赤色２０１号、赤色２０５号、赤色２１３号、赤色２１４号、赤色２１９号、赤色２２７号、赤色２３０号の（１）、赤色２３０号の（２）、赤色２３１号、赤色２３２号、橙色２０７号、黄色２０２号の（２）、黄色２０３号、緑色２０５号、青色２０２号、青色２０３号、青色２０５号、褐色２０１号、赤色４０１号、赤色２０５号、赤色５０３号、赤色５０４号、赤色５０６号、橙色４０２号、黄色４０２号、黄色４０３号の（１）、黄色４０６号、黄色４０７号、緑色４０１号、緑色４０２号、紫色４０１号、黒色４０１号等が挙げられる。また、これら色素を組み合わせて色々な色にして用いてもよい。配合割合は０．００００１〜２０重量％とすればよい。
【００１４】
防汚剤のうち撥水コート剤は便器表面等に撥水性を付与する機能を有する物質であれば制限されないが、例えば、フッ素化アルキルＰＯＥエステル、フッ素化アルキルＰＯＥエーテル、フッ素化アルキル親水性基含有オリゴマー、フッ素化アルキルエステル付加重合物［Ｃ6Ｆ13〜Ｃ10Ｆ21］、アミノ変性シリコーン、シラン変性シリコーン、フッ素ポリエーテル共変性シリコーン等が挙げられる。好ましくは、フッ素系化合物を使用する。また、配合割合は０．０１〜１０重量％、好ましくは０．０２〜５重量％とすればよい。
【００１５】
さらに目的に応じて、酸性成分、殺菌剤・抗菌剤・防腐剤、ＰＨ調整剤、酵素、キレート剤、尿石除去剤、尿石溶解剤、溶剤等を配合してもよい。
【００１６】
酸性成分としては、蓚酸等の有機酸；スルファミン酸等の無機酸；重フッ化アンモニウム等の酸性塩；メタリン酸塩、オルトリン酸塩等のリン酸塩が挙げられる。配合割合は０．０１〜５重量％とすればよい。
【００１７】
殺菌剤・抗菌剤・防腐剤としては、サリチル酸、チアベンダゾール、イソチアゾリン化合物（商品名「ビオサイド」）、安息香酸エステル、塩化ベンザルコニウム、塩化ベンゼトニウム、塩化セチルピリジニウム等が挙げられる。配合割合は０．００１〜２重量％とすればよい。
【００１８】
ＰＨ調整剤としては、炭酸水素ナトリウム、炭酸ナトリウム、水酸化カルシウム、ケイ酸ナトリウム、酒石酸ナトリウム、酒石酸、クエン酸ナトリウム、クエン酸、酢酸、酢酸ナトリウム、グルコン酸ナトリウム等が挙げられる。配合割合は０．０１〜１０重量％とすればよい。
【００１９】
酵素としては、プロテアーゼ、リパーゼ、アミラーゼ、ペクチナーゼ、セルラーゼ、リゾチーム等が挙げられる。配合割合は０．０１〜１０重量％とすればよい。
【００２０】
溶剤としては、水、アルコール、ポリエチレングリコール、ジプロピレングリコール、３−メトキシ−３−メチル−１−ブタノール（商品名「ソルフィット」）、濃グリセリン等が挙げられる。配合量は０．５〜３０重量％とすればよい。
【００２１】
本発明においては、液剤の粘度を調整するために増粘剤を配合する。増粘剤は、液剤に粘性を与え得るものであれば限定されないが、周囲温度が変化しても液剤の粘度の変化を小さく抑えるものが好ましい。好適な増粘剤としては、ヒドロキシエチルセルロース、ヒドロキシプロピルセルロース、ヒドロキシプロピルメチルセルロース、カルボキシメチルセルロース、カルボキシビニルセルロース、ローカストビーンガム、タラガム、グァーガム等の非イオン性増粘剤、キサンタンガム、アラビアガム、ジュランガム、カラギーナン、カルボキシビニルポリマー等のイオン性増粘剤を挙げることができる。これらは単独使用でも、２種以上組み合わせて使用してもよい。特に、非イオン性増粘剤を用いることにより、液剤が透明となり美観が高まる。また、カルボキシビニルポリマーを使用する場合、中和剤としてトリエタノールアミン等を併用してもよい。
【００２２】
液剤の粘度は、増粘剤の配合量により調整される。その際、オンタンク式トイレ芳香洗浄器具の液体伝達部材及び／又は中栓の内面、貯蔵容器の口部内面の溝の開口面積を考慮し、液剤の液溜部への流下量が所定量となるように、増粘剤の配合量を適宜設定する。ここで、所定流下量は、貯蔵容器に充填した液剤の全量が流下するまでの時間（交換時期）と、貯蔵容器に充填される液剤の量とにより相対的に決まる量であり、例えば、液剤の充填量が６０ｇで交換時期を３０日とする場合、１日当たり２ｇの流下量となるように、増粘剤の配合量により液剤の粘度を調整する。この場合、配合割合は０．１〜１０重量％とすればよい。
【００２３】
以下に液剤の処方例を示す。尚、配合量の単位は重量％である。
0004863583.tif 000002
【００２４】
上記の液剤は、貯蔵容器に収納してオンタンク式トイレ芳香洗浄器具に装着される。図１にその一例を示すが、オンタンク式トイレ芳香洗浄器具１０は、液剤Ｌを収容した貯蔵容器１１と、貯蔵容器１１から流出した液剤Ｌを保持する液溜部１４と、貯蔵容器１１及び液溜部１４を収納する収納部１５とを備えている。
【００２５】
液溜部１４は貯蔵容器１１からの液剤Ｌを保持する機能を有し、例えば、液剤Ｌを吸収して保持する吸液マット、表面に液剤Ｌを保持するための多数の溝等が設けられた溝付マット、液剤Ｌを保持するための微孔が設けられた多孔マット等が用いられている。この液溜部１４は、有底円筒状の収納部１５の底壁上に載置される。また、この液溜部１４に代えて、収納部１５の底壁に液剤Ｌを保持できるような溝や凹部を形成してもよい。
【００２６】
収納部１５は、その周壁の下部に、周方向に間隔をあけて複数の通水口１６が設けられている。収納部１５の底壁にも、通水口（図示せず）が設けられており、その通水口を塞ぐか、適度に開口するように液溜部１４が敷かれる。また、収納部１５の底壁の中央部上面には、上方へ立ち上がって液溜部１４及び中栓１２を貫通する、中空柱状（ここでは円筒状）の液体伝達部材１８が設けられている。液体伝達部材１８の上端は、貯蔵容器１１内の液剤Ｌの液面より突出している。液体伝達部材１８の下端は、その外周面が液溜部１４に接している。液体伝達部材１８の中栓１２を貫通する部分の外周面には、軸方向に沿った複数の溝１８ａが設けられており、溝１８ａが貯蔵容器１１内の液剤Ｌを浸出させる開口として機能する。また、収納部１５の底壁の中央部下面には、貯水タンクの水受け部９１の注水孔９２に挿通されて、収納部１５を水受け部９１上で位置決めして固定するための位置決め部材１９が設けられている。
【００２７】
貯蔵容器１１の開口は、プラスチックやゴム等の弾性体からなる中栓１２によって塞がれており、この中栓１２を収納部１５の液体伝達部材１８に差し込むことで収納部１５に装着される。その際、中栓１２と液体伝達部材１８の溝１８ａとの間に開口が形成され、この開口を通じて貯蔵容器１１から液剤Ｌが流下し、流下した液剤Ｌが液溜部１４で保持される。また、貯蔵容器１１を装着した際、貯蔵容器１１の端部と液溜部１４との間に、０．５〜１０ｍｍ程度の隙間が形成されることが好ましい。この隙間を設けることで、水の逆流を防止できる。また、隙間が１０ｍｍを超える場合、液剤Ｌを十分に流出できず、液剤Ｌが乾燥して液剤Ｌの供給に支障がでることがある。
【００２８】
また、貯蔵容器１１は、容器内外の圧力を調整する手段を備えることが好ましい。例えば、図示は省略するが、容器内外の空間の間に直接もしくは間接に空気が流通するように、バランス孔やチューブ、微多孔膜等を設けることができる。
【００２９】
上記の如く概略構成されるオンタンク式トイレ芳香洗浄器具１０では、フラッシング用の水が水受け部９１に供給されると、流水Ｗが通水口１６を通じて収納部１５に流入して液溜部１４に保持された液剤Ｌと接触し、液剤Ｌが混合された水が収納部１５の底壁の通水口及び貯水タンクの注水孔９２を通じて貯水タンクに流入する。そして、この液剤Ｌを含む水が貯水タンクから便器に流出される。また、液体伝達部材１８及び／又は中栓１２の内面、貯蔵容器１１の口部内面を通じて液剤Ｌが随時流下しているため、フラッシングの後は、再び液溜部１４に液剤Ｌが保持される。
【００３０】
尚、オンタンク式トイレ芳香洗浄器具は図１に例示したものに限定されるものではなく、貯蔵容器１１から開口（溝１８ａ）を通じて液剤Ｌを流下させて液溜部１４に供給する構成であれば制限されるものではなく、種々のものに使用可能である。その際、目安として、開口が０．１〜１．０ｍｍ2に対して、液剤Ｌの粘度を５００〜３０００ｍＰａ・ｓ（２０℃）、好ましくは１０００〜２０００ｍＰａ・ｓ（２０℃）とするのが適している。
【００３１】
【実施例】
以下に実施例を挙げて本発明を更に説明するが、本発明はこれにより何ら制限されるものではない。
【００３２】
（実施例１）
図１に示した構成のオンタンク式トイレ芳香洗浄器具において、開口面積が０．１ｍｍ2の溝１８ａを３本形成して試験用器具とした。そして、下記の組成で、粘度（２０℃）が８００ｍＰａ・ｓ、１０００ｍＰａ・ｓ、１５００ｍＰａ・ｓ、２０００ｍＰａ・ｓ、２３００ｍＰａ・ｓとなるように調整した液剤Ｌを、容量７２ｍＬの貯蔵容器１１に６０ｇ充填し、１日当たりの流下量を測定した。
〔液剤組成〕
・アニオン系界面活性剤（ラウリル硫酸ナトリウム）            ６ｇ
・ノニオン系界面活性剤（ＰＯＥアルキルエーテル）          １２ｇ
・香料（ハーブ系）                                          ３ｇ
・色素（青色１号）                                ０．００１２ｇ
・増粘剤（ヒドロキシエチルセルロース）        上記各粘度となる量
・精製水                                      全量６０ｇとする量
【００３３】
【表１】
0004863583.tif 000003
【００３４】
結果を表１に示すが、溝１８ａの開口面積が０．３ｍｍ2の場合、例えば使用期間を３０日間として継続して液剤を流下させるには、液剤Ｌの粘度を１５００ｍＰａ・ｓ（２０℃）に調整すればよいことがわかる。
【００３５】
（実施例２）
溝１８ａの開口面積を０．５ｍｍ2（０．１ｍｍ2の溝を５本形成）とし、液剤Ｌの粘度（２０℃）を１０００ｍＰａ・ｓ、１８００ｍＰａ・ｓ、２５００ｍＰａ・ｓとなるように調整した以外は実施例１と同様にして液剤Ｌの１日当たりの流下量を測定した。
【００３６】
【表２】
0004863583.tif 000004
【００３７】
結果を表２に示すが、溝１８ａの開口面積が０．５ｍｍ2に増えた場合、液剤Ｌの粘度を１８００ｍＰａ・ｓ（２０℃）に調整すればよいことがわかる。
【００３８】
上記した実施例１及び実施例２から、使用するオンタンク式トイレ芳香洗浄器具の溝１８ａの開口面積に合わせて、液剤Ｌの粘度を調整することにより、所定期間にわたり安定した芳香効果及び洗浄効果が維持できることがわかる。
【００３９】
（実施例３）
表３に示す配合にて液剤を調製し、５℃、２０℃及び３５℃における粘度を測定した。
【００４０】
【表３】
0004863583.tif 000005
【００４１】
表３から、非イオン系増粘剤を配合することにより、周囲温度が変化しても、液剤の粘度変化を小さく抑えられることがわかる。
【００４２】
【発明の効果】
以上説明したように、本発明によれば、長期間にわたって芳香効果や洗浄効果を安定に発揮し得るオンタンク式トイレ芳香洗浄器具が提供される。
【図面の簡単な説明】
【図１】オンタンク式トイレ芳香洗浄器具の一例を示す概略半断面図である。
【符号の説明】
１０  オンタンク式トイレ芳香洗浄器具
１１  貯蔵容器
１２  中栓
１４  液溜部
１５  収納部
１８  液体伝達部材
１８ａ  溝
Ｌ    液剤
【図１】
0004863583.tif 000006